(57)【要約】【課題】小さな表示領域であっても目的地を視認しやすい地図表示装置を提供すること。【解決手段】表示手段１１ｇの表示領域に表示された地図上に目的地を表示する地図表示装置１１であって、前記表示手段１１ｇの表示領域に、前記表示領域１１１の中央から輪郭の手前までに渡り設けられた領域であって前記地図を表示する地図表示領域１１１ａを表示させる地図表示手段６７と、前記地図表示領域１１１ａの輪郭よりも外側で前記表示領域１１１の輪郭よりも内側である表示部位表示領域１１１ｂに、前記目的地が前記地図表示領域の範囲外に位置したときに、前記地図表示領域内１１１ａの予め決められた基準点からの前記目的地の方向を表す方向表示部位１２を表示させる表示部位表示手段７１，７５と、を備えることを特徴とする地図表示装置１１。【選択図】図１
2005078016.tif 000002
【特許請求の範囲】
【請求項１】
表示手段の表示領域に表示された地図上に目的地を表示する地図表示装置であって、
前記表示手段の表示領域に、前記表示領域の中央から輪郭の手前までに渡り設けられた領域であって前記地図を表示する地図表示領域を表示させる地図表示手段と、
前記地図表示領域の輪郭よりも外側で前記表示領域の輪郭よりも内側である表示部位表示領域に、前記目的地が前記地図表示領域の範囲外に位置したときに、前記地図表示領域内の予め決められた基準点からの前記目的地の方向を表す方向表示部位を表示させる表示部位表示手段と、
を備えることを特徴とする地図表示装置。
【請求項２】
前記方向表示部位と前記目的地とを結ぶ方向に沿って前記地図表示領域及び前記表示部位表示領域を跨ぐように、線状の表示部位を表示させる線状表示部位表示手段を備えることを特徴とする請求項１に記載の地図表示装置。
【請求項３】
前記方向表示部位は凸形状であり、
前記線状表示部位表示手段は、前記線状の表示部位の一部である第１の線状表示部位が凸形状の前記方向表示部位の中央先端部を通過するように表示すると共に、前記地図表示領域内で予め決められた複数の基準点と前記目的地とを結ぶ前記線状の表示部位の一部である第２の線状表示部位及び第３の線状表示部位が凸形状の前記方向表示部位の両脇部をそれぞれ通過するように表示する構成であることを特徴とする請求項２に記載の地図表示装置。
【請求項４】
前記表示手段は、前記地図表示領域内の予め決められた地点から前記目的地までの距離を表示する構成であることを特徴とする請求項１に記載の地図表示装置。
【請求項５】
前記表示手段は、前記地図表示領域の範囲外の前記目的地を前記地図表示領域の範囲内に表示するために必要な前記地図表示領域のスクロール数を表示する構成であることを特徴とする請求項１に記載の地図表示装置。
【発明の詳細な説明】
【技術分野】
【０００１】
本発明は、表示手段の表示領域に表示された地図上に目的地を表示する地図表示装置に関するものである。
【背景技術】
【０００２】
従来の地図表示装置では、表示地図の縮尺を切り替える場合には表示の変化を認識しやすくし、地図上の目的位置を見失ってしまうことを防止するために、縮尺の変更要求があったとき、地図表示画面において所定のエリアを設定し、この所定エリア内で要求された縮尺に切り替えて地図を表示した後、この所定のエリア外を要求前の縮尺の地図から要求後の縮尺の地図に切り替えて表示制御するようにしていた（特許文献１参照）。
【特許文献１】特開２０００−１８１３４２号公報
【発明の開示】
【発明が解決しようとする課題】
【０００３】
ところが、例えば携帯電話装置のような小さな表示領域を有する従来の地図表示装置では、その表示領域が小さいため、表示領域に表示された目的地などを表示した状態からスクロールを行うと、その元々位置していたポイントに戻ることが難しいという問題点があった。これは、小さな表示領域の範囲内から目的地が外れて目的地が表示領域に表示されなくなると、地図表示装置の操作者が、表示領域の範囲内から外れた目的地の位置を視覚的に認識しにくくなることによるものである。
そこで、本発明の目的は、上記課題を解消して、小さな表示領域であっても目的地を視認しやすい地図表示装置を提供することである。
【課題を解決するための手段】
【０００４】
上述の目的は、第１の発明によれば、表示手段の表示領域に表示された地図上に目的地を表示する地図表示装置であって、前記表示手段の表示領域に、前記表示領域の中央から輪郭の手前までに渡り設けられた領域であって前記地図を表示する地図表示領域を表示させる地図表示手段と、前記地図表示領域の輪郭よりも外側で前記表示領域の輪郭よりも内側である表示部位表示領域に、前記目的地が前記地図表示領域の範囲外に位置したときに、前記地図表示領域内の予め決められた基準点からの前記目的地の方向を表す方向表示部位を表示させる表示部位表示手段と、を備えることを特徴とする地図表示装置により、達成される。
上記構成によれば、表示手段は、その表示領域に、地図表示領域以外にも表示部位表示領域を表示する構成であるので、目的地が地図表示領域の範囲内に表示されていなくても、表示部位表示領域に表示された方向表示部位によって、目的地の方向を視認させることができる。従って、地図表示装置は、表示領域が小さい場合においてその表示領域の範囲外に目的地が位置している場合においても、表示部位表示領域に表示された方向表示部位の存在によって、目的地の方向を視認させやすくすることができる。
【０００５】
第２の発明は、第１の発明の構成において、前記方向表示部位と前記目的地とを結ぶ方向に沿って前記地図表示領域及び前記表示部位表示領域を跨ぐように、線状の表示部位を表示させる線状表示部位表示手段を備えることを特徴とする。
上記構成によれば、表示手段は、その表示領域に、地図表示領域以外にも表示部位表示領域を表示する構成であるので、目的地が地図表示領域の範囲内に表示されていなくても、表示部位表示領域に表示された方向表示部位と目的地の方向とを結ぶ線状の表示部位によって、目的地の方向を視認させることができる。従って、地図表示装置は、表示領域が小さい場合においてその表示領域の範囲外に目的地が位置している場合においても、表示部位表示領域に表示された方向表示部位及び目的地の方向とを結ぶ線状の表示部位の存在によって、目的地の方向を視認させやすくすることができる。
【０００６】
第３の発明は、第２の発明の構成において、前記方向表示部位は凸形状であり、前記線状表示部位表示手段は、前記線状の表示部位の一部である第１の線状表示部位が凸形状の前記方向表示部位の中央先端部を通過するように表示すると共に、前記地図表示領域内で予め決められた複数の基準点と前記目的地とを結ぶ前記線状の表示部位の一部である第２の線状表示部位及び第３の線状表示部位が凸形状の前記方向表示部位の両脇部をそれぞれ通過するように表示する構成であることを特徴とする。
上記構成によれば、凸形状の方向表示部位の中央先端部を通過する第１の線状表示部位が目的地の方向を示すことから、目的地の方向を視認させやすくすることができる。また、この地図表示装置は、その表示領域において、凸形状の方向表示部位の両脇部にそれぞれ第２の線状表示部位及び第３の線状表示部位が通過するように表示するため、表示されている方向表示部位の幅が広いと地図表示領域から目的地までの距離が長く、方向表示部位の幅が短いと地図表示領域から目的地までの距離が短いことを、地図表示装置の操作者に視認させることができる。
【０００７】
第４の発明は、第１の発明の構成において、前記表示手段は、前記地図表示領域内の予め決められた地点から前記目的地までの距離を表示する構成であることを特徴とする。
上記構成によれば、目的地までの距離が表示されているため、地図表示装置の操作者に対して目的地の方向のみならず、目的地までの距離を体感的に認識させることができる。
【０００８】
第５の発明は、第１の発明の構成において、前記表示手段は、前記地図表示領域の範囲外の前記目的地を前記地図表示領域の範囲内に表示するために必要な前記地図表示領域のスクロール数を表示する構成であることを特徴とする。
上記構成によれば、地図表示領域の範囲外に位置する目的地を地図表示領域内に表示するために必要な地図表示領域のスクロール数が表示されているため、地図表示装置の操作者に対して目的地の方向のみならず、地図表示領域の範囲外に位置する目的地を地図表示領域内に表示させるのに必要な操作を、地図表示装置の操作者に対して直感的に認識させることができる。
【発明を実施するための最良の形態】
【０００９】
以下、この発明の好適な実施の形態を図面に基づいて説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
＜第１実施形態＞
図１は、本発明の第１実施形態としての地図表示装置が適用された携帯電話装置１１の構成例を示す正面図である。
【００１０】
携帯電話装置１１は、その筐体１０の上部に音出力部８及び表示部１１ｇを備え、さらにその筐体１０の中央部から下部にかけてスクロールボタン４（１１ｄ）及びボタン６（１１ｄ）を備えている。携帯電話装置１１は、例えば図示しない基地局を経由して他の携帯電話装置との間で通話やデータ通信を行う携帯型の電話装置等の電子機器である。音出力部８は、通話の際の音声を出力する機能を有する音声出力手段である。
上記スクロールボタン４は、地図表示領域１１１ａに表示された地図をスクロールして、現在表示されている地図から他の地域の地図を表示させるために操作されるボタンである。ボタン６は、携帯電話装置１１によって通話等を行う際に操作するボタンである。
【００１１】
表示部１１ｇは、例えば液晶表示素子を用いて文字や画像を表示領域１１１内に表示する表示手段であり、表示領域１１１に目的地等を表示する機能を有する。この表示部１１ｇは、表示領域１１１に、地図表示領域１１１ａ及びオブジェクト表示領域１１１ｂを表示する構成となっている。
地図表示領域１１１ａは、表示領域１１１の中央から輪郭の手前までに渡り設けられた領域であって、例えば地図に関する電子データに基づいて地図を表示する表示領域である。オブジェクト表示領域１１１ｂは、地図表示領域１１１ａの輪郭よりも外側であって表示領域１１１の輪郭よりも内側の領域であり、目的地が地図表示領域１１１ａの範囲外に位置したときに、目的地の方向を表す方向表示部位としてのオブジェクト１２を表示する機能を有する。
【００１２】
上述のような構成とすると、表示部１１ｇの表示領域１１１ｂにオブジェクト表示領域１１１ｂを表示しているので、地図上の目的地の位置１４が地図表示領域１１１ａの範囲内に表示されていなくても、オブジェクト表示領域１１１ｂに表示された方向表示ライン２によって、目的地の方向を視認させることができる。従って、携帯電話装置１１は、表示領域１１１ｂが小さい場合においてその表示領域１１１ｂの範囲外に目的地が位置している場合においても、オブジェクト表示領域１１１ｂに表示されたオブジェクト１２の存在によって、地図上の目的地の位置１４の方向を視認しやすくすることができる。
【００１３】
また、携帯電話装置１１は、好ましくはオブジェクト１２と地図上の目的地の位置１４とを結ぶ方向に沿って地図表示領域１１１ａ及びオブジェクト表示領域１１１ｂを跨ぐように表示される線状の表示部位としての方向表示ライン２を表示する機能を有する。
図示の方向表示ライン２において点線を付した部分は、表示領域１１１ｂの範囲外の部分を表しており、実際には表示されない仮想上の線を表している。
【００１４】
この方向表示ライン２は、例えば地図表示領域１１１ａの中央付近から地図上の目的地の位置１４に向かって延びる線である。尚、この方向表示ライン２は、地図表示領域１１１ａの中央付近から延びるように表示される以外にも、地図表示領域１１１ａのいずれかの箇所から延びるように表示されるようにしても良いことはいうまでもない。本実施形態では、この方向表示ライン２の開始点を「基準点」と呼ぶ。
【００１５】
上述のような構成とすると、表示部１１ｇの表示領域１１１ｂに方向表示ライン２を表示しているので、地図上の目的地の位置１４が地図表示領域１１１ａの範囲内に表示されていなくても、オブジェクト表示領域１１１ｂに表示された方向表示ライン２と目的地の方向とを結ぶ方向表示ライン２（線状の表示部位）によって、地図上の目的地の位置１４の方向を視認させることができる。従って、携帯電話装置１１は、表示領域１１１ｂが小さい場合においてその表示領域１１１ｂの範囲外に目的地が位置している場合においても、オブジェクト１２の存在によって目的地の方向を視認しやすくすることができる。
【００１６】
図２は、図１に示す携帯電話装置１１のハードウェア構成例を示すブロック図である。
携帯電話装置１１は、ＣＰＵ１１ａ、ＲＡＭ１１ｂ、ＲＯＭ１１ｃ、操作部１１ｄ、表示部１１ｇ、通信部１１ｅ及び衛星電波受信部１１ｈを備えている。
ＣＰＵ１１ａは、中央演算処理部であり、ＲＡＭ１１ｂを作業領域として、プログラムを動作させたり、バス１１ｉに接続されたＲＯＭ１１ｃ等を制御している。このＲＯＭ１１ｃは、読み出し専用の情報記録媒体であり、書き換え可能な不揮発性メモリであるフラッシュＲＯＭも含んでいても良い。
【００１７】
ＲＡＭ１１ｂは、上記プログラムを実行するための作業領域を確保可能なメモリである。操作部１１ｄは、表示部１１ｇの画面に表示されたボタン等のオブジェクトを操作するためのボタンやタブレット等の操作手段である。表示部１１ｇは、文字や図形を表示する機能を有する表示手段であり、例えばＬＣＤ（Ｌｉｑｕｉｄ  Ｃｒｙｓｔａｌ  Ｄｉｓｐｌａｙ）やＥＬ（Ｅｌｅｃｔｒｏ  Ｌｕｍｉｎｅｓｃｅｎｃｅ）素子を用いた表示装置である。
【００１８】
通信部１１ｅは、例えば無線或いは有線によってネットワークを経由して外部の移動端末やコンピュータ等との間で通信を行う機能を有する。衛星電波受信部１１ｈは、例えばＧＰＳ（Ｇｌｏｂａｌ  Ｐｏｓｉｔｉｏｎｉｎｇ  Ｓｙｓｔｅｍ）を用いて衛星からの衛星電波（ＧＰＳ信号）を受信し、この衛星電波に基づいて現在地を測位する機能を有する。ここで、ＧＰＳとしては、例えば単独測位方式を採用している。ここで、現在地等の位置情報は、例えば緯度、経度及び高さを含んでいる。
【００１９】
図３は、図１に示す携帯電話装置１１のソフトウェア構成例を示すブロック図である。
携帯電話装置１１は、オブジェクト形状設定テーブル６１、方向表示ライン基準点データ６３、目的地データ６５、地図データ６９、地図表示部６７、オブジェクト表示位置演算部７１、方向表示ライン表示位置演算部７３及びオブジェクト表示部７５を備え、好ましくは付帯情報表示部７７を備えている。
地図データ６９は、図１に示す携帯電話装置１１の表示部１１ｇの地図表示領域１１１ａに表示させる地図に関するデータを表している。図３の地図表示部６７は、地図データ６９に基づいて、図１の表示部１１ｇの地図表示領域１１１ａに地図を表示する機能を有する。
【００２０】
オブジェクト形状設定テーブル６１は、図１に示す表示部１１ｇの表示領域１１１ａに表示されるオブジェクト１２の形状に関する設定情報を管理している。図１に示すオブジェクト１２は、例えば矩形を構成している。方向表示ライン基準点データ６３は、地図データ６９における上記基準点を表すデータである。目的地データ６５は、図１に示す地図上の目的地の位置１４を表す位置情報である。
【００２１】
オブジェクト表示位置演算部７１は、図１に示すオブジェクト１２をオブジェクト表示領域１１１ｂに表示させる位置を演算する機能を有する。方向表示ライン表示位置演算部７３は、上記方位表示ライン基準点データ６３に基づいて、図１に示す方位表示ライン２の基準点を決定し、目的地データ６５に基づいて方向表示ライン２が地図上の目的地の位置１４を通過するように表示させるように演算を行う機能を有する。オブジェクト表示部７５は、オブジェクト表示位置演算部７１によって演算されたオブジェクト１２の地図上における位置及び、方向表示ライン表示位置演算部７３によって演算された方向表示ライン２の地図上における位置に基づいて、図１の表示部１１ｇにオブジェクト１２や方向表示ライン２を表示させる機能を有する。
【００２２】
図３の付帯情報表示部７７は、図１に示す携帯電話装置１１の表示部１１ｇの表示領域１１１ａに、上記地図、方向表示ライン２及びオブジェクト１２等に関係する付帯情報を表示させる機能を有する。ここで、この付帯情報としては、例えば図４に示すように地図表示領域１１１ａの範囲外に位置する目的地を地図表示領域１１１ａ内に表示するために必要な地図表示領域１１１ａのスクロール数である付帯情報９１ａ及び／又は、図５に示すように地図表示領域１１１ａ内の予め決められた基準点である、例えば中心から地図上の目的地の位置１４までの実際の距離である付帯情報９１ｂであっても良い。
【００２３】
図４に示すような付帯情報９１ａを表示するようにすると、携帯電話装置１１は、地図表示領域１１１ａの範囲外に位置する目的地を地図表示領域１１１ａに表示するために必要な地図表示領域１１１ａのスクロール数が表示されているため、携帯電話装置１１の操作者に対して目的地の方向のみならず、地図表示領域１１１ａの範囲外に位置する目的地を地図表示領域１１１ａ内に表示させるのに必要な操作を、携帯電話装置１１の操作者に対して直感的に認識させることができる。一方、図５に示すような付帯情報９１ｂを表示するようにすると、目的地までの距離が表示されるため、携帯電話装置１１の操作者に対して目的地の方向のみならず、目的地までの距離を体感的に認識させることができる。
【００２４】
携帯電話装置１１は以上のような構成であり、次に上記図１〜図５を参照しつつその表示例について簡単に説明する。
図１に示す携帯電話装置１１の表示部１１ｇの表示領域１１１ａには、地図表示領域１１１ａに地図が表示される。この地図は、例えば図２に示す衛星電波受信部１１ｈの動作によりＧＰＳを用いて測位が行われた結果としての現在地を中心とした周辺の地図である。地図表示領域１１１ａの地図は、図３に示す地図表示部６７によって現在地を中心とした地図データ６９が取得されることで、表示されるようになっている。
【００２５】
次に携帯電話装置１１は、図３に示すオブジェクト表示位置演算部７１が、オブジェクト形状設定テーブル６１から、上述したオブジェクト１２の形状に関する設定情報を取得し、オブジェクト１２の形状を決定する。次にオブジェクト表示位置演算部７１は、方向表示ライン基準点データ６３及び目的地データ６３を読み込み、オブジェクト表示領域１１１ｂに表示すべきオブジェクト１２の位置を演算する。
【００２６】
具体的には、オブジェクト表示位置演算部７１は、方向表示ライン基準点データ６３に基づく基準点の位置及び目的地データ６３に基づく地図上の目的地の位置１４を結び、これらが横切るオブジェクト表示領域１１１ｂにおける表示位置を演算する。次に方向表示ライン表示位置演算部７３が、方向表示ライン基準点データ６３及び目的地データ６３を読み込み、方向表示ライン基準点データ６３に基づく基準点の位置及び目的地データ６３に基づく地図上の目的地の位置１４を結ぶように方向表示ライン２の表示位置の演算を行う。
【００２７】
ここで、携帯電話装置１１は、図４に示す付帯情報表示部７７の機能によって、表示領域１１１ａに付帯情報９１ａを表示したり、図５に示すような付帯情報９１ｂを表示するようにしてもよい。尚、付帯情報９１ａ，９１ｂを表示するのは、表示領域１１１ａ内における例えばオブジェクト表示領域１１１ｂのみならず、表示領域１１１のいずれかの位置、例えば地図表示領域１１１ａ内であっても良いことはいうまでもない。
そして、オブジェクト表示部７５は、オブジェクト表示位置演算部７１によって演算された表示領域１１１ａの位置に、図１に示すようにオブジェクト１２を表示し、図３の方向表示ライン表示位置演算部７３によって演算された表示領域１１１ａの位置に図１に示すように方向表示ライン２を表示する。
【００２８】
本発明の第１実施形態によれば、図２の表示部１１ｇの表示領域１１１ｂに、地図表示領域１１１ａの他にもオブジェクト表示領域１１１ｂを表示する構成であるので、目的地が地図表示領域１１１ａに表示されていなくても、オブジェクト表示領域１１１ｂに表示された方向表示ライン２と目的地の方向とを結ぶ方向表示ライン２によって、目的地の方向を視認させることができる。
【００２９】
特に携帯電話装置１１等のように小さな表示部１１ｇの表示領域１１１ａで地図を表示する場合においては、表示領域１１１ａに目的地が表示された状態から元々表示していた地点を表示するように表示状態を戻すときはオブジェクト１２や方向表示ライン２を基準としてスクロールさせれば、容易且つ確実に元々の表示地点に戻すことができるようになる。
従って、携帯電話装置１１は、表示領域１１１ｂが小さい場合においてその表示領域１１１ｂの範囲外に目的地が位置している場合においても、オブジェクト表示領域１１１ｂに表示されたオブジェクト１２の存在によって、目的地の方向を視認しやすくすることができる。
【００３０】
＜第２実施形態＞
図６（Ａ）及び図６（Ｂ）は、それぞれ本発明の第２実施形態としての地図表示装置が適用された携帯電話装置１１ｘの構成例を示す正面図である。
本発明の第２実施形態における携帯電話装置１１ｘでは、図１〜図５において第１実施形態としての携帯電話装置１１と同一の符号を付した箇所はほぼ同じ構成であるから、同一の構成は図１〜図５と共通の符号を用いてその説明を省略し、異なる点を中心として説明する。
【００３１】
第２実施形態としての携帯電話装置１１ｘでは、第１実施形態において図１に示す地図上の目的地の位置１４の方向を表すオブジェクト１２の代わりに、方向表示部位としての図６（Ａ）及び図６（Ｂ）に示すオブジェクト１１２が表示される構成となっている。このオブジェクト１１２の形状は、図３に示すオブジェクト形状設定テーブル６１に設定されている。このオブジェクト１１２は、例えば図７に示すように凸形状であり、例えば地図上の目的地の位置１４の方向に向かって凸形状となっている。尚、オブジェクト１１２は、図８に示すように地図上の目的地の位置１４の方向とは逆向きに凸な形状であっても良いことはいうまでもない。
【００３２】
より詳しくは図７に示すように、表示部１１ｇは、その表示領域１１１に、凸形状のオブジェクト１１２の中央先端部１１２ａに線状の表示部位としての線状の第１の方向表示ライン２ａ（第１の線状表示部位）と、凸形状のオブジェクト１１２の両脇部１１２ｂにそれぞれ、地図表示領域１１１ａ内に予め決められた複数の基準点と目的地とを結ぶ線状の第２の方向表示ライン２ｂ及び第３の方向表示ライン２ｃと、を通過するように表示する。
【００３３】
これら複数の基準点は、例えば地図表示領域１１１ａの輪郭の角部としても良いし、地図表示領域１１１ａの範囲内の任意の点を用いても良い。これら第１の方向表示ライン２ａ、第２の方向表示ライン２ｂ及び第３の方向表示ライン２ｃは、上述した図３に示す方向表示ライン表示位置演算部７３の演算結果によって、オブジェクト表示部７５が表示する構成となっている。
【００３４】
また、上記図６に示す凸形状のオブジェクト１１２の代わりに、図９に示すようなオブジェクト１１１２を用いても良いことはいうまでもない。このオブジェクト１１１２は、上記中央先端部１１２ａの機能とほぼ同様の機能を有する中央先端部１１１２ａ及び、上記両脇部１１２ｂの機能とほぼ同様の機能を有する両脇部１１１２ｂを有する。このオブジェクト１１１２は、その表示位置が例えば地図表示領域１１１ａの輪郭の四隅付近に位置した場合に、形状が上記オブジェクト１１２とは異なるように変形した構成を表している。
【００３５】
本発明の第２実施形態によれば、第１実施形態とほぼ同様の効果を発揮することができるとともに、これに加えて、凸形状のオブジェクト１１２の中央先端部を通過する方向表示ライン２ａによって目的地の方向を視認させやすくすることができる。また、この携帯電話装置１１ｘは、その表示領域１１１において、凸形状のオブジェクト１１２の両脇部にそれぞれ第２の方向表示ライン２ｂ及び第３の方向表示ライン２ｃが通過するように表示するため、オブジェクト１１２の幅が広いと地図表示領域１１１ａから地図上の目的地の位置１４までの距離が長く、オブジェクト１１２の幅が短いと地図表示領域１１１ａから目的地までの距離が短いことを視認させることができる。
【００３６】
つまり、この携帯電話装置１１ｘは、例えば図１０に示すように地点Ａが地図表示領域１１１ａ（８５）に表示されていた場合において地点Ｂが地図表示領域１１１ａ（８１）に表示されるように地図表示領域１１１ａを移動させたものとする。尚地図表示領域１１１ａは、現在値をＧＰＳで測位したときの画面を表している。再び地点Ａを地図表示領域１１１ａ（８５）に表示させるには、地図表示領域８１においてオブジェクト１１２の位置を基準として地点Ａの方向を把握することができる。すなわち、地図表示領域８１には、オブジェクト１１２が表示されており、このオブジェクト１１２は地点Ａの方向を表している。
【００３７】
また、このオブジェクト１１２には、第１の方向表示ライン２ａが通過しており、地点Ａの方向を正確に示している。従って、携帯電話装置１１ｘの操作者は、地点Ａの方向を正確に把握することができる。また、このオブジェクト１１２には、第２の方向表示ライン２ｂ及び第３の方向表示ライン２ｃが通過するように表示されているため、上述のように地図表示領域８１から地図上における地点Ａまでの距離を把握させることができる。
このようにして地図表示領域１１１ａをオブジェクト１１２を基準にスクロールさせると、地図表示領域１１１ａを、地図表示領域８５に示す位置まで移動させることができるため、携帯電話装置１１ｘは、確実に地点Ａに地図表示領域１１１ａを戻したり、移動させることができる。
【００３８】
また、このような図８〜図１０に示すオブジェクト１１２及びオブジェクト１１１２並びに方向表示ライン２ａ，２ｂ，２ｃは、図１１に示すような仮想モジュールに基づいて規定されている。具体的には、図１１に示すポイントＡ１は図８における方向表示ライン２ａの端部にあたり、図１１に示すポイントＢ１は図示しない方向表示ラインの端部に当たり、図１１に示すポイントＣ１は上記方向表示ライン２ｃの端部に当たり、図１１に示すポイントＤ１は上記方向表示ライン２ｂの端部に当たる。尚、図８に示す画面例ではラインが見えないため、図１１に示す例においてもクロスバーを視認することはできない。よって、図１１は、地図上の開始点を示すと共に、図８〜図１０にそれぞれ示す各オブジェクト１１２，１１１２の大きさを規定するためのものである。
【００３９】
＜第３実施形態＞
図１２は、本発明の第３実施形態としての地図表示装置を適用した携帯電話装置１１ｙの構成例を示す正面図である。
本発明の第３実施形態における携帯電話装置１１ｙでは、図１〜図５において第１実施形態としての携帯電話装置１１と同一の符号を付した箇所はほぼ同じ構成であるから、同一の構成は図１〜図５と共通の符号を用いてその説明を省略し、異なる点を中心として説明する。
【００４０】
第３実施形態としての携帯電話装置１１ｙでは、表示部１１ｇの表示領域１１１に、地図表示領域１１１ａと、地図上の目的地の位置１４との位置関係を視覚的に表示する位置関係表示画面１１１ｃが表示される点が上記実施形態と異なっている。この位置関係表示画面１１１ｃは、地図表示領域１１１ａ内に表示されていない地図上の目的地の位置１４を、その地図表示領域１１１ａと共に表示している。
本発明の第３実施形態によれば、縮小表示領域に、地図表示領域の範囲外に位置する目的地と地図表示領域との位置関係の縮尺を小さくして表示するので、地図表示装置の操作者に対して目的地との位置関係を体感的に把握しやすくさせることができる。
【００４１】
本発明は、上記実施の形態に限定されず、特許請求の範囲を逸脱しない範囲で種々の変更を行うことができる。例えば上記実施形態の各構成は、その一部を省略したり、上記とは異なるように任意に組み合わせることができる。また、上述した実施形態では、表示部１１ｇの表示領域１１１に１つのオブジェクト１１２が表示されているがこれに限られず、複数のオブジェクト１１２が表示されていても良いことはいうまでもない。また、上記実施形態では、測位方式として単独測位を例示したがこれに限られず、例えば相対測位（ディファレンシャル測位方式）を採用しても良いことはいうまでもない。
【図面の簡単な説明】
【００４２】
【図１】本発明の第１実施形態としての携帯電話装置の構成例を示す正面図。
【図２】図１に示す携帯電話装置のハードウェア構成例を示すブロック図。
【図３】図１に示す携帯電話装置のソフトウェア構成例を示すブロック図。
【図４】表示領域に表示される付帯情報の一例を示す図。
【図５】表示領域に表示される付帯情報の一例を示す図。
【図６】本発明の第２実施形態としての携帯電話装置の構成例を示す正面図。
【図７】表示領域に表示されたオブジェクトの表示例を示す画面図。
【図８】表示領域に表示されたオブジェクトの表示例を示す画面図。
【図９】表示領域に表示されたオブジェクトの表示例を示す画面図。
【図１０】スクロールさせた場合に地図表示領域に表示される地図の一例を示す画面図。
【図１１】図８〜図１０に示す各ラインを規定する仮想モジュールを示す図。
【図１２】本発明の第３実施形態としての携帯電話装置の構成例を示す正面図。
【符号の説明】
【００４３】
２・・・方向表示ライン（方向表示部位）、２ａ・・・第１の方向表示ライン（第１の線状表示部位）、２ｂ・・・第２の方向表示ライン（第２の線状表示部位）、２ｃ・・・第３の方向表示ライン（第３の線状表示部位）、１１，１１ｘ・・・携帯電話装置（地図表示装置）、１１ｇ・・・表示部（表示手段）、１２・・・オブジェクト（方向表示部位）、１４・・・地図上の目的地の位置（目的地）、７１・・・オブジェクト表示位置演算部（表示部位表示手段）、７３・・・方向表示ライン表示位置演算部（線状表示部位表示手段）、７５・・・オブジェクト表示部（表示部位表示手段、線状表示部位表示手段）、１１１・・・表示領域１１１、１１１ａ・・・地図表示領域、１１１ｂ、オブジェクト表示領域（表示部位表示領域）、１１１ｃ・位置関係表示画面（縮小表示領域）、１１２・・・オブジェクト、１１２ａ・・・中央先端部、１１２ｂ・・・脇部
【図１】
2005078016.tif 000003
【図２】
2005078016.tif 000004
【図３】
2005078016.tif 000005
【図４】
2005078016.tif 000006
【図５】
2005078016.tif 000007
【図６】
2005078016.tif 000008
【図７】
2005078016.tif 000009
【図８】
2005078016.tif 000010
【図９】
2005078016.tif 000011
【図１０】
2005078016.tif 000012
【図１１】
2005078016.tif 000013
【図１２】
2005078016.tif 000014